(57)【要約】【課題】タッカーや接着剤を使用することなく、表皮材の端縁部をコア材の外壁の裏面に確実に固定した内装部品を提供する。【解決手段】周囲に外壁１３を備えたコア材１０の表面に、表皮材１１を被せた内装部品である。表皮材１１の周縁部の内面には樹脂製の芯材１６が縫い付けられており、コア材１０の外壁１３の内側位置には連続溝１８が形成されている。芯材１６を外壁１３の内側に弾性的に折り返したうえで、芯材１６及び表皮材１１の周縁部を連続溝１８に差し込んで固定した。【選択図】図３
2020108985.tif 000002
【特許請求の範囲】
【請求項１】
周囲に外壁を備えたコア材の表面に表皮材を被せた内装部品であって、
表皮材はその周縁部の内面に樹脂製の芯材が縫い付けられたものであり、
コア材の外壁の内側位置には外壁に沿って連続溝が形成されており、
芯材を外壁の内側に弾性的に折り返したうえで、芯材及び表皮材の周縁部をこの連続溝に差し込んで固定したことを特徴とする内装部品。
【請求項２】
連続溝をコア材の外壁の、コーナー部を除く部分に形成したことを特徴とする請求項１に記載の内装部品。
【請求項３】
コア材の外壁の端縁に折り返された表皮材を、コア材の裏面を覆う中蓋により押え込んだことを特徴とする請求項１に記載の内装部品。
【発明の詳細な説明】
【技術分野】
【０００１】
本発明は、周囲に外壁を備えたコア材の表面に表皮材を被せた内装部品に関するものである。
【背景技術】
【０００２】
自動車用コンソールボックスの蓋体などの内装部品は、コア材の表面に表皮材を被せた構造が一般的である。コア材は樹脂製であり、天板とその周囲から下方に垂下する外壁とを備えた構造の成形品である。表皮材は袋状に縫製したうえで、コア材の天板側から被せ、表皮材の周縁部をコア材の外壁の裏面に折り返して固定している。表皮材としては、表皮層の裏面にウレタン発泡層を形成してクッション性を持たせたものが広く用いられている。
【０００３】
表皮材の周縁部をコア材に固定する手段としては、金属製のタッカーが用いられるのが普通である。しかしタッカーによる固定を行うには熟練を要し、特にコア材のコーナー部で表皮材にしわが生じないように固定することは容易ではない。また、タッカーを打ち損じるとタッカーの先端が表皮材側に突き出すおそれがある。
【０００４】
そこで特許文献１に示すように、コア材の外壁の内面に突起を形成し、表皮材の周縁部に形成した係止孔をこれらの突起に差し込んで固定する技術が提案されている。しかしコア材の外壁の内面に外壁に対して垂直な突起を形成するためには、コア材を成形するための金型構造が複雑となり、コスト高となるという問題があった。また、表皮材の周縁部に多数の係止孔を形成しなければならないので、表皮材の製造コストも高くなるという問題があった。
【０００５】
このほか、接着剤を用いて表皮材の周縁部を外壁の裏面に固定することも行われているが、接着剤の乾燥に時間がかかるうえ、車室内が高温になったときに接着剤が緩む可能性もあり、耐久性に不安があった。
【０００６】
このような従来の問題点を解決するために、本出願人は表皮材の周縁部の内面に樹脂製の芯材を縫い付け、この芯材を外壁の内側のコーナー部に弾性的に折り込み、この折り込みによって生ずる反発力を利用して表皮材の周縁部をコア材の外壁の内面に密着させる技術を開発し、特許文献２として提案した。
【０００７】
この技術を用いれば、コア材のコーナー部においては樹脂製の芯材の反発力が強いので確実な固定が可能であるが、直線部においては樹脂製の芯材の反発力が不十分となる。そこでコア材の裏面に複数の抜け止めリブを形成し、折り返された芯材及び表皮材の端縁部を抜け止めリブで固定している。ところが特許文献２の抜け止めリブは間隔を置いて形成されているため、コア材の直線部が長い場合には抜け止めリブの中間部分において芯材及び表皮材の端縁部の位置が確実に決まらない可能性があった。
【先行技術文献】
【特許文献】
【０００８】
【特許文献１】特許第５６０７３７５号公報
【特許文献２】特開２０１８−１４４７８５号公報
【発明の概要】
【発明が解決しようとする課題】
【０００９】
従って本発明の目的は上記した従来の問題点を解決し、タッカーや接着剤を使用することなく、表皮材の端縁部をコア材の外壁の裏面に確実に固定した内装部品を提供することである。
【課題を解決するための手段】
【００１０】
上記の課題を解決するためになされた本発明は、周囲に外壁を備えたコア材の表面に表皮材を被せた内装部品であって、表皮材はその周縁部の内面に樹脂製の芯材が縫い付けられたものであり、コア材の外壁の内側位置には外壁に沿って連続溝が形成されており、芯材を外壁の内側に弾性的に折り返したうえで、芯材及び表皮材の周縁部をこの連続溝に差し込んで固定したことを特徴とするものである。
【００１１】
なお、連続溝をコア材の外壁の、コーナー部を除く部分に形成することが好ましい。また、コア材の外壁の端縁に折り返された表皮材を、コア材の裏面を覆う中蓋により押え込んだ構造とすることができる。
【発明の効果】
【００１２】
本発明の内装部品は、コア材の外壁の内側位置に外壁に沿って連続溝が形成されており、表皮材の周縁部に縫い付けられた樹脂製の芯材を外壁の内側に弾性的に折り返し、芯材及び表皮材の周縁部をこの連続溝に差し込んで固定したものである。コア材のコーナー部においては樹脂製の芯材の反発力により表皮材の周縁部を外壁の内面に密着させることができ、コア材の直線部においても連続溝を利用して、表皮材の周縁部を外壁の内側に固定することができる。このため本発明によれば、タッカーや接着剤を使用することなく、表皮材の端縁部をコア材の外壁の裏面に確実に固定した内装部品を提供することができる。
【図面の簡単な説明】
【００１３】
【図１】実施形態の内装部品を示す斜視図である。
【図２】実施形態の内装部品を上下反転させた状態の平面図である。
【図３】組み立て途中の状態を示す斜視図である。
【図４】コア材の裏面を示す正面図である。
【図５】表皮材の固定手順を示す要部の断面図である。
【発明を実施するための形態】
【００１４】
以下に本発明の実施形態を示す。
図１は本発明の実施形態の内装部品を示す斜視図であり、図２は実施形態の内装部品を上下反転させた状態の平面図である。実施形態の内装部品は自動車用コンソールボックスの蓋体であり、従来と同様、コア材１０の表面に表皮材１１を被せた構造である。しかし本発明は、コンソールボックスの蓋体以外にも応用できることはいうまでもない。表皮材１１は表皮層の裏面にウレタン発泡層を形成してクッション性を付与したものであり、表皮材１１はコア材１０の形状に応じて予め立体的に縫製されている。
【００１５】
図３に示すように、コア材１０は天板１２とその周囲の外壁１３を備えた樹脂成型品である。コア材１０の外壁１３は直線部１４とコーナー部１５とを有する。天板１２の裏面には従来と同様、補強用のリブや、後述する中蓋を取り付けるための部材などが形成されている。
【００１６】
図３に示されるように、表皮材１１の周縁部には樹脂製の芯材１６が縫い付けられている。この芯材１６は適度の弾性と剛性を備えたものであり、この実施形態では厚さが０．５〜２．０ｍｍで、幅が５〜１５ｍｍ程度の一定幅の樹脂芯材が用いられている。樹脂製の芯材１６は表皮材１１の周縁部の内面に、全周にわたって縫い付けられており、全体として環状の弾性体を構成している。
【００１７】
図３、図４に示すように、コア材１０の外壁１３の内側位置には、外壁１３に沿って内壁１７が形成され、外壁１３と内壁１７との間に、連続溝１８が形成されている。この実施形態では連続溝１８は外壁１３と平行となっている。連続溝１８はコア材１０の外壁１３の直線部１４だけに形成されており、コーナー部１５には形成されていない。また内壁１７は図３に示すように、途中で分割することも可能である。
【００１８】
なお、このような内壁１７は外壁１３とほぼ平行であるから、樹脂成型用金型の構造を複雑にしなくても、容易に成形することができるものである。
【００１９】
図３、図５（A）に示すように、表皮材１１をコア材１０に被せると、表皮材１１の周縁部は縫い付けられた樹脂製の芯材１６の弾性によって外側に拡がろうとする。この図３に示した状態から、芯材１６に力を加えて撓ませながら、図５（B）に示すように、芯材１６をコア材１０の外壁１３の内側に弾性的に折り返す。芯材１６は弾性を持つため中立点を越えるとそれ自体の弾性により内側に反転して折り返される。この折返しは直線部１４から行い、芯材１６の反発力が最大となるコーナー部１５は最後に行うことが好ましい。
【００２０】
折り返された表皮材１１の周縁部は、図５（B）に示すように外壁１３の内側位置に形成された連続溝１８に差し込まれる。折り返された芯材１６はそれ自体の弾性により外側に拡がろうとするので、単に連続溝１８に差し込むだけで固定される。この状態を図1に示した。
【００２１】
しかし表皮材１１に予期しない外力が作用したときに表皮材１１がコア材１０から抜け出すことがないように、図５（C）に示すように中蓋１９でコア材１０の外壁１３の端縁に折り返された表皮材１１を連続溝１８の部分で押さえることが好ましい。このような構造とすれば、芯材１６が連続溝１８から脱落することを確実に防止することができる。
【００２２】
上記したように、本発明では連続溝１８に表皮材１１の周縁部を芯材１６とともに差し込む構造としたので、コア材１０の外壁１３の直線部１４が長い場合にも、表皮材１１の周縁部を安定に保持することができる。
【００２３】
また、実施形態のように連続溝１８を直線部１４のみに形成したので、コーナー部１５において力を加えて芯材１６を折り曲げる際に内壁１７が邪魔になることもない。ただしコア材１０の形状によっては、コーナー部１５においても芯材１６を保持させたいことがあり、その場合にはコーナー部１５に連続溝１８とは別の保持溝を形成しても差し支えない。
【００２４】
以上に説明したように、本発明の内装部品は、従来のようにタッカーや接着剤を使用することなく、表皮材１１の端縁部をコア材１０の外壁１３の裏面に確実に固定したものである。本発明によれば、熟練した作業者でなくても表皮材１１をしわを生じさせることなく、コア材１０に取り付けることができ、不良品の発生率を低下させることもできるなど、多くの利点がある。
【符号の説明】
【００２５】
１０  コア材
１１  表皮材
１２  天板
１３  外壁
１４  直線部
１５  コーナー部
１６  芯材
１７  内壁
１８  連続溝
１９  中蓋
【図１】
2020108985.tif 000003
【図２】
2020108985.tif 000004
【図３】
2020108985.tif 000005
【図４】
2020108985.tif 000006
【図５】
2020108985.tif 000007